(57)【要約】【課題】対物レンズのシフトやディスクの傾きに対するオフセットを抑圧し、安定したトラッキングサーボ性能を得ること。【解決手段】光ピックアップ装置は、ディスクで反射した反射光を受光する第１および第２の受光領域と、反射光を回折させるホログラムと、ホログラムと第２の受光領域との間に配置され、ディスクのトラックを横切る方向に透過率が変化する回折格子と、第１の受光領域の受光量に基づいてメインＰＰ信号を算出するメインＰＰ信号算出部１０２と、第２の受光領域の受光量変化に基づいてオフセット補正信号を算出するオフセット補正信号算出部１０４と、メインＰＰ信号とオフセット補正信号に基づいてトラック誤差信号を算出するトラック誤差信号算出部１０５とを備え、オフセット補正信号算出部１０４はオフセット補正信号に含まれる残留ＰＰ信号の振幅または位相を変更する変更部１０４ａを含む。【選択図】　　　　図１０
2004071126.tif 000002
【特許請求の範囲】
【請求項１】
ディスク状の情報記録媒体へレーザ光を照射する発光部と、
前記情報記録媒体で反射した反射光を受光する第１および第２受光部と、
前記情報記録媒体と前記第１および第２受光部との間に設けられ、前記情報記録媒体で反射した反射光を回折させるホログラムと、
前記ホログラムと前記第２受光部との間に配置され、前記情報記録媒体に形成されたトラックを横切る方向に透過率が変化する光学素子と、
前記第１の受光部の受光量に基づいて、メインプッシュプル信号を算出するメインプッシュプル信号算出手段と、
前記第２受光部の受光量変化に基づいて、オフセット補正信号を算出するオフセット補正信号算出手段と、
算出された前記メインプッシュプル信号および前記オフセット補正信号に基づいて、トラック誤差信号を算出するトラック誤差信号算出手段とを備え、
前記オフセット補正信号算出手段は、前記オフセット補正信号に含まれる残留プッシュプル信号の振幅または位相を変更する変更手段を含む、光ピックアップ装置。
【請求項２】
前記第２受光部は、複数の受光素子を含み、
前記変更手段は、前記残留プッシュプル信号の位相を前記メインプッシュプル信号に含まれるプッシュプル信号の位相に対して概ね１８０度異ならせるために、前記複数の受光素子からの検出信号のゲイン比を変更する、請求項１に記載の光ピックアップ装置。
【請求項３】
前記第２受光部は、複数の受光素子を含み、
前記変更手段は、前記残留プッシュプル信号の振幅を減少させるために、前記複数の受光素子からの検出信号のゲイン比を変更する、請求項１に記載の光ピックアップ装置。
【請求項４】
ディスク状の情報記録媒体へレーザ光を照射する発光部と、
前記情報記録媒体で反射した反射光を受光する第１および第２受光部と、
前記情報記録媒体と前記第１および第２受光部との間に設けられ、前記情報記録媒体で反射した反射光を回折させるホログラムと、
前記ホログラムと前記第２受光部との間に配置され、トラックを横切る方向に透過率が変化する光学素子と、
前記第１の受光部の受光量に基づいて、メインプッシュプル信号を算出するメインプッシュプル信号算出手段と、
前記第２の受光部の受光量変化に基づいて、メインプッシュプル信号のオフセット量を補正するためのオフセット補正信号を算出するオフセット補正信号算出手段と、
算出された前記メインプッシュプル信号および前記オフセット補正信号に基づいて、プッシュプル信号を算出するプッシュプル信号算出手段とを備え、
前記第２受光部は、複数の受光素子を有し、
前記光学素子は、１の受光素子に光を導く第１回折格子と、他の受光素子に光を導く第２回折格子とを含み、前記残留プッシュプル信号の位相を前記メインプッシュプル信号に含まれるプッシュプル信号の位相に対して概ね１８０度異ならせるために、第１回折格子と第２回折格子とで透過率が異なる、光ピックアップ装置。
【発明の詳細な説明】
【０００１】
【発明の属する技術分野】
本発明は、光ディスク等の情報記録媒体に光学的に情報を記録または再生する光ディスク装置に用いられる光ピックアップ装置に関する。
【０００２】
【従来の技術】
光ピックアップ装置のトラッキングサーボの手法としては、プッシュプル法（ＰＰ法）、３ビーム法およびディファレンシャルプッシュプル法（ＤＰＰ法）が挙げられる。いずれの手法においても、複数の受光部の光量差を検出することで、ディトラック量を検出する手法であり、光量差が無い場合をジャストトラックと判断する。
【０００３】
ＰＰ法は、ディスクからの反射ビームをディスクに形成されたトラックを横切る方向に２分割して得られた光量を比較することで、トラックに対する位置信号、いわゆるプッシュプル信号（ＰＰ信号）を検出するものである。
【０００４】
３ビーム法の場合、ビームをメインビームとその前後のサブビームとによって構成し、トラック誤差はサブビームの差信号から検出する。また、ＤＰＰ法は、１ビームのＰＰ法と３ビーム法とを組合わせたもので、メインビームとその前後のサブビームとのそれぞれにおいて、トラックを横切る方向に分割した差信号からトラック誤差を検出する。このため、ＰＰ法の場合に発生するオフセットを抑圧可能であり、トラッキングサーボの手法として用いられている。
【０００５】
しかしながら、３ビーム法とＤＰＰ法では、１個の光源から３個のビームを生成しているので、記録に関与するメインビームの光量が低下し、その結果、記録スピードが遅くなり、記録の高速化の妨げになるという問題がある。この点で、ＰＰ法が優れているといえる。
【０００６】
ＰＰ法を用いた光ピックアップ装置を、小型化、薄型化および高信頼性化するためにホログラムを用いたものが考案されている。このホログラムを用いた光ピックアップ装置の基本的な構造が、特開平９−１６１２８２号公報に記載されている。同公報に記載されている光ピックアップ装置は、ＤＶＤ（デジタルビデオディスク）用のものであり、ホログラムがディスク半径方向に２分割されており、かつその一方はさらにトラック方向に２分割されている。そして、この光ピックアップ装置は、ディスクからの反射ビームの半分でフォーカス誤差信号を、もう半分でトラック誤差信号を、ビーム全面で情報信号を検出する。トラック誤差信号には、トラックに対する位置信号、いわゆるプッシュプル信号（ＰＰ信号）が含まれている。このＰＰ信号は、ディスク半径方向に半分に分割されたビームをさらにトラック方向に２分割して得られた光量を比較することで検出される。
【０００７】
このように構成されるホログラムを用いた光集積化ユニットと、その光集積化ユニットから出射されたレーザ光をディスク上に集光させるための対物レンズとによって光ピックアップ装置が構成されている。
【０００８】
【発明が解決しようとする課題】
上述のように構成される光集積化ユニットを用いた光ピックアップ装置では、ディスクの反射光の左右（トラック方向の分割線で分割された半径方向内方側の部分と外方側の部分と）の光量分布の差を２分割検出器で検出してトラック誤差信号を生成する。一方、対物レンズは、ディスク偏心に対応可能なように、±０．３ｍｍ程度は変位可能となっているため、ディスク偏心によって対物レンズのずれが発生する。対物レンズが半径方向にずれた場合にディスクからの反射光の光軸がずれる。光軸がずれると２分割検出器の中心からビーム中心がずれる。また、ディスクが傾いた場合も同様に、反射光のビーム中心がずれる。
【０００９】
したがって、何れの場合も、トラッキングが合っているにもかかわらず、２分割検出器の差動信号にオフセットが発生し、ディトラックと判定してしまうといった問題がある。
【００１０】
この発明は上述の問題点を解決するためになされたもので、１ビーム法を用いることで光量低下が無く、かつ対物レンズのシフトやディスクの傾きに対するオフセットを抑圧し、安定したトラッキングサーボ性能を得ることができる光ピックアップ装置を提供することを目的とする。
【００１１】
【課題を解決するための手段】
上述の目的を達成するためにこの発明のある局面によれば、光ピックアップ装置は、ディスク状の情報記録媒体へレーザ光を照射する発光部と、情報記録媒体で反射した反射光を受光する第１および第２受光部と、情報記録媒体と第１および第２受光部との間に設けられ、情報記録媒体で反射した反射光を回折させるホログラムと、ホログラムと第２受光部との間に配置され、情報記録媒体に形成されたトラックを横切る方向に透過率が変化する光学素子と、第１の受光部の受光量に基づいて、メインプッシュプル信号を算出するメインプッシュプル信号算出手段と、第２受光部の受光量変化に基づいて、オフセット補正信号を算出するオフセット補正信号算出手段と、算出されたメインプッシュプル信号およびオフセット補正信号に基づいて、トラック誤差信号を算出するトラック誤差信号算出手段とを備え、オフセット補正信号算出手段は、オフセット補正信号に含まれる残留プッシュプル信号の振幅または位相を変更する変更手段を含む。
【００１２】
この発明に従えば、情報記録媒体と第１および第２受光部との間に設けられたホログラムにより情報記録媒体で反射した反射光が回折されて、第１または第２受光部で反射光が受光される。ホログラムと第２受光部との間に配置された光学素子は、情報記録媒体に形成されたトラックを横切る方向に透過率が変化するので、対物レンズがシフトしたり、ディスクが傾いたりして光学素子への入射光がトラックを横切る方向にシフトすると第２受光部での受光量が変化する。そして、第１の受光部の受光量に基づいてメインプッシュプル信号が算出され、第２受光部の受光量変化に基づいてオフセット補正信号が算出され、算出されたメインプッシュプル信号およびオフセット補正信号に基づいて、トラック誤差信号が算出される。オフセット補正信号算出手段によりオフセット補正信号に含まれる残留プッシュプル信号の振幅または位相が変更されるので、オフセット補正信号に含まれる残留プッシュプル信号によりメインプッシュプル信号に含まれるプッシュプル信号が損なわれるのを防止することができる。その結果、対物レンズのシフト、または、ディスクの傾きによるオフセットを確実に補正することができるとともに、安定したトラッキングサーボ性能を得ることが可能な光ピックアップ装置を提供することができる。
【００１３】
好ましくは、第２受光部は、複数の受光素子を含み、変更手段は、残留プッシュプル信号の位相をメインプッシュプル信号に含まれるプッシュプル信号の位相に対して概ね１８０度異ならせるために、複数の受光素子からの検出信号のゲイン比を変更する。
【００１４】
この発明に従えば、残留プッシュプル信号の位相をメインプッシュプル信号に含まれるプッシュプル信号の位相に対して概ね１８０度異ならせるために、複数の受光素子からの検出信号のゲイン比を変更する。このため、メインプッシュプル信号とオフセット補正信号とからトラック誤差信号を算出する場合に、メインプッシュプル信号に含まれるプッシュプル信号が損なわれるのを防止することができる。
【００１５】
好ましくは、第２受光部は、複数の受光素子を含み、変更手段は、残留プッシュプル信号の振幅を減少させるために、複数の受光素子からの検出信号のゲイン比を変更する。
【００１６】
この発明に従えば、残留プッシュプル信号の振幅を減少させるために、複数の受光素子からの検出信号のゲイン比を変更する。このため、メインプッシュプル信号とオフセット補正信号とからトラック誤差信号を算出する場合に、メインプッシュプル信号に含まれるプッシュプル信号が損なわれるのを防止することができる。
【００１７】
この発明の他の局面によれば、光ピックアップ装置は、ディスク状の情報記録媒体へレーザ光を照射する発光部と、情報記録媒体で反射した反射光を受光する第１および第２受光部と、情報記録媒体と第１および第２受光部との間に設けられ、情報記録媒体で反射した反射光を回折させるホログラムと、ホログラムと第２受光部との間に配置され、トラックを横切る方向に透過率が変化する光学素子と、第１の受光部の受光量に基づいて、メインプッシュプル信号を算出するメインプッシュプル信号算出手段と、第２の受光部の受光量変化に基づいて、メインプッシュプル信号のオフセット量を補正するためのオフセット補正信号を算出するオフセット補正信号算出手段と、算出されたメインプッシュプル信号およびオフセット補正信号に基づいて、プッシュプル信号を算出するプッシュプル信号算出手段とを備え、第２受光部は、複数の受光素子を有し、光学素子は、１の受光素子に光を導く第１回折格子と、他の受光素子に光を導く第２回折格子とを含み、残留プッシュプル信号の位相をメインプッシュプル信号に含まれるプッシュプル信号の位相に対して概ね１８０度異ならせるために、第１回折格子と第２回折格子とで透過率が異なる。
【００１８】
この発明に従えば、情報記録媒体と第１および第２受光部との間に設けられたホログラムにより情報記録媒体で反射した反射光が回折されて、第１または第２受光部で反射光が受光される。ホログラムと第２受光部との間に配置された光学素子は、情報記録媒体に形成されたトラックを横切る方向に透過率が変化するので、対物レンズがシフトしたり、ディスクが傾いたりして光学素子への入射光がトラックを横切る方向にシフトすると第２受光部での受光量が変化する。そして、第１の受光部の受光量に基づいてメインプッシュプル信号が算出され、第２受光部の受光量変化に基づいてオフセット補正信号が算出され、算出されたメインプッシュプル信号およびオフセット補正信号に基づいて、トラック誤差信号が算出される。光学素子は、１の受光素子に光を導く第１回折格子と、他の受光素子に光を導く第２回折格子とを含み、残留プッシュプル信号の位相をメインプッシュプル信号に含まれるプッシュプル信号の位相に対して概ね１８０度異ならせるために、第１回折格子と第２回折格子とで透過率を異ならせる。このため、残留プッシュプル信号の位相がメインプッシュプル信号に含まれるプッシュプル信号の位相に対して概ね１８０度異なるので、メインプッシュプル信号とオフセット補正信号とからトラック誤差信号を算出する場合に、メインプッシュプル信号に含まれるプッシュプル信号が損なわれるのを防止することができる。その結果、対物レンズのシフト、または、ディスクの傾きによるオフセットを確実に補正することができるとともに、安定したトラッキングサーボ性能を得ることが可能な光ピックアップ装置を提供することができる。
【００１９】
【発明の実施の形態】
本発明の実施の形態における光ピックアップ装置について図面を参照して説明する。なお、図中同一符号は、同一または相当する部材を示し、重複する説明は繰返さない。
【００２０】
図１は、本発明の実施の一形態である光ピックアップ装置の概略的構成を示す断面図である。図２は、光集積化ユニットのホログラムの形状およびホログラム素子と受光部との関係を示す図である。図１を参照して、光ピックアップ装置は、ＤＶＤ（Ｄｉｇｉｔａｌ　Ｖｅｒｓａｔｉｌｅ　Ｄｉｓｃ）に記録された情報を読取るためまたは情報を記録するために、光集積化ユニット１と、該光集積化ユニット１から出射されたレーザ光をディスク１１上に集光させるための対物レンズ１０とを含む。光集積化ユニット１は、大略的に、ステム２に搭載されたＬＤ（レーザダイオード）チップ３と、受光部４と、光分岐素子５と、ホログラム素子６とを備えて構成されている。
【００２１】
ホログラム素子６のホログラム７は、図２で示すように、ディスク半径方向Ｘに２つに分割されており、かつその一方は、さらにトラック方向Ｙに２分割されている。ホログラム７は、半径方向Ｘに２分割されたうちの一方の分割領域７ａと、他方の分割領域をさらにトラック方向Ｙで２分割した分割領域７ｂ、７ｃを含む。ディスク１１の半径方向Ｘは、ディスク１１のトラックを横切る方向でもある。
【００２２】
光集積化ユニット１は、ディスクからの反射ビームが分割領域７ａを通る光からフォーカス誤差信号を検出し、分割領域７ｂ、７ｃを通る光からトラック誤差信号を検出し、分割領域７ａ、７ｂ、７ｃのすべてを通る光（ビーム全面）から情報信号を検出する１ビームＰＰ法を採用している。各分割領域７ａ、７ｂ、７ｃには、相互に異なる格子が形成されている。
【００２３】
図１に戻って、ＬＤチップ３から出射された光は、光分岐素子５のＡ面を透過した後ディスクに入射する。ディスクからの反射光は、光分岐素子５のＡ面で反射し、さらにＢ面でも反射した後、ホログラム７へ入射する。ホログラム７の±１次回折光は、受光部４に入射する。
【００２４】
ここで、図２を参照して、受光部４は、光分岐素子５からの±１次の回折光の内、どちらか一方（図２では＋１次の回折光）に対応して受光領域４ａ〜４ｆを備えている。受光領域４ａ，４ｂは、ホログラム７からディスクの半径方向Ｘに略同じ距離だけ離れた位置に、トラック方向Ｙに並んで配置される。これらの受光領域４ａ、４ｂを基準として、トラック方向Ｙの前後に受光領域４ｃ、４ｄが配置され、受光領域４ａ、４ｂと４ｃ、４ｄとの間に受光領域４ｅ、４ｆがそれぞれ配置される。
【００２５】
ホログラム素子６において、ホログラム７の反対面に回折格子８が形成される。この回折格子８は、ホログラム７を通過する±１次の回折光の内、どちらか一方（図２では受光領域４ａ〜４ｆへの＋１次の回折光）のみが入射するように配置されている。
【００２６】
したがって、トラッキングおよびフォーカシングの誤差が無い状態では、図２で示すように、ホログラム７の分割領域７ａでの＋１次の回折光の内、回折格子８の０次の透過光は受光領域４ａ、４ｂに入射し、−１次の回折光は受光領域４ａの外方に入射し、＋１次の回折光は受光領域４ｂの外方に入射する。同様に、ホログラム７の分割領域７ｂでの＋１次の回折光の内、回折格子８の０次の透過光は受光領域４ｄ、４ｆの間に入射し、−１次の回折光は受光領域４ｆに入射し、＋１次の回折光は受光領域４ｄに入射する。また、ホログラム７の分割領域７ｃでの＋１次の回折光の内、回折格子８の０次の透過光は受光領域４ｃ、４ｅの間に入射し、−１次の回折光は受光領域４ｃに入射し、＋１次の回折光は受光領域４ｅに入射する。
【００２７】
ここで、光分岐素子５のＡ面を偏光ビームスプリッタとし、さらに該光分岐素子５の上面にλ／４板を装着すると、ＬＤチップ３からの直線偏光である出射光は、この光分岐素子５のＡ面をほぼ１００％透過し、λ／４板を透過して円偏光となってディスクに入射させることができる。そして、反射光が再びλ／４板を透過して、今度は９０°回転した直線偏光となり、光分岐素子５のＡ面で略１００％反射させることが可能となる。したがって、ハーフミラーなどに比べて、ＬＤチップ３から出射された光を効率良くディスクに入射し、さらにディスク反射光を効率良くホログラム７へと導くことが可能となっている。
【００２８】
また、受光部４において、光分岐素子５からの±１次の回折光の内、どちらか他方（−１次の回折光）に対しては、ホログラム７から半径方向Ｘとは逆方向に配置される受光領域４Ａと、該受光領域４Ａを基準として、そのトラック方向Ｙの前後に配置される受光領域４Ｃ、４Ｄとが設けられている。
【００２９】
したがって、トラッキングおよびフォーカシングの誤差が無い状態では、図２で示すように、ホログラム７の分割領域７ａでの−１次の回折光は受光領域４Ａに入射し、分割領域７ｂでの−１次の回折光は受光領域４Ｃに入射し、分割領域７ｃでの−１次の回折光は受光領域４Ｄに入射する。こうして、受光部４は、受光領域４ａ、４ｂ、４ｃ、４ｄ、４ｅ、４ｆ；４Ａ、４Ｃ、４Ｄの９セグメントの光検出器で構成され、＋１次の回折光と−１次の回折光とを共に利用することで、光利用効率を高めることができる。
【００３０】
また、ホログラム７の０次透過光量と、±１次の回折光量とは、回析格子の溝深さｄによって制御することができ、単純には、次式（１）が成立するときに、０次透過光量は０、±１次の回折光量はそれぞれ４０％程度とすることができ、反射は格子基板表面で生じるのみである。ただし、ｎは格子基板の屈折率、ｋは整数、λは光の波長である。このように０次透過光量を略０とすることで、これによってもまた、光利用効率を高めることができる。
【００３１】
ｄ＊（ｎ−１）＝（ｋ＋１／２）λ　　　　…（１）
なお、図２は、ホログラム７と回折格子８と受光部４との関係を模式的に表現したもので、実際にはホログラム素子６の大きさは、たとえば１辺の長さが３〜４ｍｍ程度で、受光部４の各受光領域４ａ〜４ｆ；４Ａ、４Ｃ、４Ｄのサイズは、５０μｍ×２００μｍ程度で、かつホログラム７の中心より数百μｍの距離に位置している。
【００３２】
上述のように構成される受光部４において、各受光領域４ａ、４ｂ、４ｃ、４ｄ、４ｅ、４ｆ；４Ａ、４Ｃ、４Ｄからの出力信号をそれぞれＳａ、Ｓｂ、Ｓｃ、Ｓｄ、Ｓｅ、Ｓｆ；ＳＡ、ＳＣ、ＳＤとするとき、フォーカス誤差信号ＦＥＳは、次式（２）で表される。
【００３３】
ＦＥＳ＝Ｓａ−Ｓｂ　　　　　　　　　　　　　　　　　　　　…（２）
また、情報信号（ＲＦ信号）は、次式（３）で表される。
【００３４】
ＲＦ＝ＳＡ＋ＳＣ＋ＳＤ　　　　　　　　　　　　　　　…（３）
したがって、回折格子８を通過した光は、回折によって光量損失が発生し、Ｓ／Ｎ比の低下が懸念されるけれども、情報信号である高帯域の信号（ＲＦ信号）を、回折格子８を通らない側の受光領域４Ａ、４Ｃ、４Ｄからの出力信号から求め、高帯域を必要としないサーボ信号を、回折格子８を通る側の受光領域４ａ、４ｂ、４ｃ、４ｄ、４ｅ、４ｆからの出力信号から求めるので、特に高いＳ／Ｎ比が要求されるＲＦ信号は、回折格子８の影響を全く受けることなく得ることができる。
【００３５】
一方、トラック誤差信号ＴＥＳは、次式（４）で表される。
ＴＥＳ＝（ＳＤ−ＳＣ）−α＊（（Ｓａ＋Ｓｂ）−β＊（Ｓｃ＋Ｓｄ＋Ｓｅ＋Ｓｆ））　　…（４）
図３は、本実施の形態における光集積化ユニット１の回折格子８の正面図である。この回折格子８は、図示している通り、格子間ピッチＰは一定に形成されるけれども、グルーブ幅（溝幅）ＷＧとランド幅（山幅）ＷＬとで表されるデューティがディスクの半径方向Ｘ（格子長手方向）に連続的に変化している。具体的には、図中の下端に近づくに従って、グルーブ幅ＷＧが広く、±１次回折効率が高い（＝０次効率が低い）。また、図中の上端に近づくに従って、グルーブ幅ＷＧが狭く、±１次回折効率が低い（＝０次効率が高い）。したがって、対物レンズがトラッキングの際に半径方向Ｘにずれると、回折格子８での回折効率に変化が生じ、その変化は上述のように±１次回折光と０次透過光とで相反方向になるので、これらを別々に検出し、差動を取ることで、対物レンズのシフト量を検出可能であることが理解される。
【００３６】
図４は、回折格子８上におけるディスク反射光の対物レンズの変位やディスクチルトによる動きを示す図である。図４を参照して、参照符号Ｌ０は、対物レンズシフトが０のときのディスク反射光の回折格子８上の位置を示す。ディスク反射光が位置Ｌ０にあるときに次式（５）が成立するように係数βを決定した場合、対物レンズがシフトしてディスク反射光が図中の下方向の位置Ｌ１となった場合には式（５）の左辺の値が正になる（０次透過光が増加した）。逆に、対物レンズがシフトしてディスク反射光が図中の上方向の位置Ｌ２となった場合には式（５）の左辺の値が負になる。
【００３７】
（０次透過光）−β＊｛＋１次回折光＋（−１次回折光）｝＝０　…（５）
ここで、式（４）のトラック誤差信号ＴＥＳの演算式に戻ると、（ＳＤ−ＳＣ）の成分はメインプッシュプル信号（メインＰＰ信号）であり、係数α以降の成分は対物レンズシフトによるオフセット補正信号である。このオフセット補正信号において、（Ｓｃ＋Ｓｄ＋Ｓｅ＋Ｓｆ）は±１次回折光の和であり、（Ｓａ＋Ｓｂ）は０次透過光の和である。式（５）では、±１次回折光の和と０次透過光の和の差動によって、対物レンズのシフト量を演算している。
【００３８】
式（４）における係数βは、格子溝深さで決定される０次透過光と±１次回折光との回折効率差を調整する係数であり、係数αは、レンズシフト量をメインＰＰ信号におけるオフセット量に換算するための係数である。
【００３９】
また、ディスクの半径方向Ｘの傾き（チルト）においても、回折格子８上で、ビームが該半径方向Ｘに移動するので、上述のレンズシフト量と同様にチルト量を検出可能である。
【００４０】
このようにホログラム７と受光部４との間に、ホログラム７で回折された光を、さらに３ビームに分割するための回折格子８を設け、その回折格子８の回折効率をディスクの半径方向Ｘに異ならせることで、メインビームの光量低下が無い１ビーム法を用いて、対物レンズのシフトやディスクの傾きに対するオフセットを抑圧し、安定したトラッキングサーボ性能を得ることができる。
【００４１】
図３および図４を用いて説明した回折格子を本発明の光集積化ユニット１または光ピックアップに適応させた場合の具体例について説明をする。図５は、回折格子のデューティと回折効率（透過率）との関係を示したものである。ここで、デューティ０．５は山幅と溝幅が１：１であることを示しており、例えばデューティが０．２とは、山幅と溝幅が０．２：０．８すなわち１：４であることを示している。また、回折格子のデューティ変化を非線形にすることで回折格子内の回折効率の変化率をより広い領域で一定にすることが可能である。すなわち、デューティが０．２以下および０．３５以上の領域において回折効率を直線的変化から非線形に変化させることで、デューティ０．１から０．５の範囲で回折効率が直線的に変化させることが可能となる。
【００４２】
図６は、ビームに対応して分割して形成された回折格子と回折格子上に入射するビーム形状との関係を示す図である。図６を参照して、回折格子８を２分割し、ビーム７ｂ、７ｃのそれぞれに対応するように、回折格子８−２、８−１を配置する。図中にデューティを記載した通り、各ビームとも、デューティ変化を０．１〜０．４の全範囲に渡って使用できることになる。したがって、ビームが格子長手方向（ディスクのトラックを横切る方向）に移動した場合の回折効率の変化が大きい、すなわち、対物レンズのシフトに対する感度を高くすることができる。また、２分割することで回折格子による回折効率を等しく設定できるため、両受光領域から得られた信号のゲインを等しく設定でき、光の利用効率が上がる。
【００４３】
本実施の形態における光集積化ユニット１によれば、ディスクへ照射するレーザ光を１ビームとするが、記録光量が大きく、記録スピードが速い１ビームトラッキング法を用いている。そして、トラッキングのための回析光を得るホログラム７と受光領域４ａ〜４ｆとの間に、さらに回折格子８を配置し、その透過率をディスクの半径方向に変化させる。したがって、対物レンズがシフトしたり、ディスクが傾いたりして、回折格子８への入射光がディスクの半径方向にシフトすると、回折格子８の透過率の違いにより、受光領域４ａ〜４ｆにおける受光光量が変化する。この受光光量の変化を打消すようにトラッキングサーボを行うことで、対物レンズのシフトやディスクの傾きによるオフセットを補正することが可能となり、安定したトラッキングサーボ性能を得ることができる。
【００４４】
これによって、光集積化ユニット１と、光集積化ユニット１から出射されたレーザ光をディスク上に集光させるための対物レンズとを組合わせて光ピックアップ装置を構成することによって、光ピックアップ装置を必要最小限の光学部品で構成でき、かつ信号検出系の調整も不要となり、小型、薄型で、かつ組立て性が良く、信頼性にも優れ、安定したトラッキングサーボ性能を有する光ピックアップ装置を得ることができる。
【００４５】
また、本実施の形態における光集積化ユニット１では、回折格子８の山幅と溝幅との比が格子長手方向に連続的に変化する。図６に示したように、回折格子８を２分割して、ビーム７ｂ、７ｃのそれぞれに対応した回折格子８−２、８−１を配置することで回折格子による回折効率を等しく設定できるため、両受光部から得られた信号のゲインを等しく設定でき、光の利用効率が上がる。
【００４６】
ところが、２分割された回折格子８−１，８−２の回折効率をそれぞれ等しくなるよう設計したとしても、受光領域４ａ〜４ｆの受光感度の違いや、受光領域４ａ〜４ｆからの受光量に応じた信号を増幅する際に用いられる回路ゲインの違い、２分割された回折格子８−１，８−２の相対的な位置ずれ等により、一方の受光領域から得られた信号に含まれるＰＰ信号の振幅が、もう一方の受光領域から得られた信号に含まれるＰＰ信号の振幅に対し異なることがあり、そのような場合には、オフセット補正信号に受光領域４ａ〜４ｆからの信号に含まれるＰＰ信号の振幅差に応じてＰＰ信号が残留する。
【００４７】
また、式（４）で示したように、ＴＥＳ（トラック誤差信号）は、メインＰＰ信号からオフセット補正信号を引くことで得られるが、メインＰＰ信号のＰＰ信号の位相に対し、オフセット補正信号に残留するＰＰ信号の位相が同相の場合には、ＴＥＳにＰＰ信号の振幅が殆ど残らない場合があり、安定したトラッキングサーボ性能が得られなくなってしまう。
【００４８】
これについて、ＴＥＳの演算式（４）、図７、図８を用いて具体的に説明する。図７は、ディスク上のスポットがディスクのラジアル方向へ移動した場合のディスクのスポットがディスクのラジアル方向へ移動した場合のトラッククロス信号ＳＣ、ＳＤ、（Ｓｃ＋Ｓｅ）、（Ｓｄ＋Ｓｆ）と、メインＰＰ信号（ＳＤ―ＳＣ）、オフセット補正信号（Ｓｃ＋Ｓｅ＋Ｓｄ＋Ｓｆ）を示したものである。すなわち、図７（ａ）は、出力信号ＳＣ，ＳＤ、それらの和信号ＳＣ＋ＳＤおよび差信号ＳＤ−ＳＣ（メインＰＰ信号）を示している。図７（ａ）に示す信号は、回折格子８を有しないホログラム７のみを用いた従来の光集積装置で得られる信号を示している。図７（ａ）に示すように、トラッククロス信号ＳＣ、ＳＤは、通常位相がπずれたほぼ同じ出力値となるため、それらの差信号ＳＤ−ＳＣにはＰＰ信号が含まれ、和信号であるＳＣ＋ＳＤはＰＰ信号が含まれないＤＣ成分のみとなる。
【００４９】
一方、本発明のように、±１次回折光の一方に回折格子を挿入した構成の場合、図７（ｂ）に示す信号Ｓｃ＋Ｓｅ、Ｓｄ＋Ｓｆ，Ｓｃ＋Ｓｅ＋Ｓｄ＋Ｓｆが得られる。（ＳＣ＋ＳＤ）は従来と同様に、ＰＰ成分のないＤＣ成分となる。しかし、信号出力Ｓｃ＋Ｓｅ，Ｓｄ＋Ｓｆについては、レンズシフト成分を検出するために回折格子の回折効率をビームが入射する位置によって変化させていることから、信号出力（Ｓｃ＋Ｓｅ）と信号出力（Ｓｄ＋Ｓｆ）との振幅に差を生じる。このため、和信号（Ｓｃ＋Ｓｅ＋Ｓｄ＋Ｓｆ）にＰＰ信号が残留してしまう。演算式（４）において、（Ｓａ＋Ｓｂ）−β＊（Ｓｃ＋Ｓｄ＋Ｓｅ＋Ｓｆ）は対物レンズがシフトした際に生じるトラックオフセット分を演算する部分である。和信号（Ｓｃ＋Ｓｅ＋Ｓｄ＋Ｓｆ）にＰＰ信号が残留してしまうと、演算式（４）ではメインＰＰ信号である（ＳＤ−ＳＣ）からトラックオフセット分を演算する部分（（Ｓａ＋Ｓｂ）−β＊（Ｓｃ＋Ｓｄ＋Ｓｅ＋Ｓｆ））を減算するため、結果として、ＴＥＳに含まれるＰＰ信号の振幅が小さくなり、Ｓ／Ｎ比が低下してしまう。そのため、（Ｓａ＋Ｓｂ）−β＊（Ｓｃ＋Ｓｄ＋Ｓｅ＋Ｓｆ）には、つまりは、Ｓｃ＋Ｓｄ＋Ｓｅ＋Ｓｆに残留するＰＰ信号の振幅を抑えるのが好ましいわけである。
【００５０】
図８は、対物レンズシフト時のメインＰＰ信号とメインＰＰ信号のオフセットの関係を示す図である。図８を参照して、メインＰＰ信号のトラックを横断することで生じるプッシュプル信号がＡ（短周期）、オフセット信号成分がＢ（長周期）で示される。
【００５１】
図９は、ビームに対応して分割され、デューティ比が異なる回折格子を示す図である。図９を参照して、ビーム７ｂ、７ｃのそれぞれに対応する回折格子８−２、８−１において、デューティ比をそれぞれ０．１〜０．４と０．１１〜０．４４としている。この場合、上記式（４）において信号出力Ｓｃ、Ｓｅをそれぞれ、１．１倍したことに相当し、その場合には、上記式（４）における、オフセット補正信号（（Ｓａ＋Ｓｂ）−β＊（Ｓｃ＋Ｓｄ＋Ｓｅ＋Ｓｆ））に残留するＰＰ信号の位相が、メインＰＰ信号（ＳＤ−ＳＣ）に含まれるＰＰ信号の位相と１８０度異なる。このため、ＴＥＳに含まれるＰＰ信号の振幅は、メインＰＰ信号（ＳＤ−ＳＣ）に含まれるＰＰ信号の振幅に対し増加することになる。従って、（ＳＤ−ＳＣ）のオフセット量を補正すると同時に、ＴＥＳに含まれるＰＰ信号の振幅を（ＳＤ−ＳＣ）におけるＰＰ信号の振幅に対して増加させることができる。
【００５２】
このことは、上記式（４）に新たにγという変数を付加した次式（６）において、γの値を変えることに相当する。
ＴＥＳ＝（ＳＤ−ＳＣ）−α＊（（Ｓａ＋Ｓｂ）−β＊（γ（Ｓｃ＋Ｓｅ）＋（Ｓｄ＋Ｓｆ）））　　　…（６）
従って、図６に示した透過率が同じ回折格子８−１，８−２を用いる場合においても、受光領域４ｃ，４ｅの受光量に応じた信号を増幅する際に用いられる回路ゲインと、受光領域４ｄ，４ｆの受光量に応じた信号を増幅する際に用いられる回路ゲインとを異ならせることによって、図９に示した透過率が異なる回折格子８−１，８−２を用いる場合と同様に、（ＳＤ−ＳＣ）のオフセット量を補正すると同時に、ＴＥＳに含まれるＰＰ信号の振幅を（ＳＤ−ＳＣ）におけるＰＰ信号の振幅に対して増加させることができる。
【００５３】
このように、組立および調整後の光集積化ユニット１及びそれを用いた光ピックアップ装置において、上記式（４）において変数γを付加して変化させることにより、両受光領域からの出力信号（Ｓｃ＋Ｓｅ）、（Ｓｄ＋Ｓｆ）に対して異なるゲインを与えることができ、（ＳＤ−ＳＣ）のオフセット量を補正すると同時に、ＴＥＳに含まれるＰＰ信号の振幅を（ＳＤ−ＳＣ）におけるＰＰ信号の振幅に対して増加させることができる。この場合には、両受光領域の受光感度の違い、両受光領域からの受光量に応じた信号を増幅する際に用いられる回路ゲインの違い等も考慮して、オフセット補正信号（（Ｓａ＋Ｓｂ）−β＊（γ（Ｓｃ＋Ｓｅ）＋（Ｓｄ＋Ｓｆ）））に残留するＰＰ信号の振幅をほぼゼロとすることもできる。このため、ＴＥＳ信号に含まれるＰＰ信号の振幅は、メインＰＰ信号（ＳＤ−ＳＣ）に含まれるＰＰ信号の振幅とほぼ同じものとすることができ、十分なＳＮ比が確保できる。
【００５４】
またラジアルのサーボゲインを光集積化ユニット毎または光ピックアップ装置毎に変える必要がなくなるといった効果がある。さらに、組立および調整後の光集積化ユニット１及びそれを用いた光ピックアップ装置においてオフセット補正信号（（Ｓａ＋Ｓｂ）−β＊（γ（Ｓｃ＋Ｓｅ）＋（Ｓｄ＋Ｓｆ）））に残留するＰＰ信号の振幅と位相を可変とすることができるので、ラジアルのサーボゲインに対して、ＴＥＳ信号の振幅を合わせることもできる。
【００５５】
もちろん、両受光領域の出力信号に対し、異なるゲインを与えることで、上記式（６）のγの値を変え、メインプッシュプル信号（ＳＤ−ＳＣ）に含まれるＰＰ信号の位相に対し、オフセット補正信号に残留するＰＰ信号の位相を１８０度としつつ、残留するＰＰ信号の振幅を増加させることで、ＴＥＳに含まれるＰＰ信号の振幅を増加させることもできる。
【００５６】
図１０は、本実施の形態における光集積化ユニット１の回路の概略を示すブロック図である。光集積化ユニット１は、受光領域の出力信号に対して異なるゲインを与える。図１０を参照して、光集積化ユニット１は、ＲＦ信号算出部１０１と、メインプッシュプル信号算出部１０２と、フォーカス誤差信号算出部１０３と、オフセット補正信号算出部１０４と、トラック誤差信号算出部１０５とを含む。ＲＦ信号算出部１０１は、受光部４の受光領域４Ａ，４Ｃ，４Ｄから出力される信号出力ＳＡ，ＳＣ，ＳＤを用いて、式（３）に従って情報信号（ＲＦ信号）を算出して出力する。メインプッシュプル信号算出部１０２は、受光部４の受光領域４Ｃ，４Ｄから出力される信号出力ＳＣ，ＳＤを用いて、メインプッシュプル信号（ＳＤ−ＳＣ）を算出して出力する。フォーカス誤差信号算出部１０３は、受光部４の受光領域４ａ，４ｂから出力される信号出力Ｓａ，Ｓｂを用いて、式（２）に従ってフォーカス誤差信号（ＦＥＳ）を算出して出力する。
【００５７】
オフセット補正信号算出部１０４は、振幅または位相変更部１０４ａを含む。オフセット補正信号算出部１０４は、受光部４の受光領域４ａ，４ｂ，４ｃ，４ｄ，４ｅ，４ｆから出力される信号出力Ｓａ，Ｓｂ，Ｓｃ，Ｓｄ，Ｓｅ，Ｓｆから、オフセット補正信号を算出する。係数γとを用いて、オフセット補正信号に残留するプッシュプル信号の振幅または位相を変更する。振幅または位相変更部１０４ａは、オフセット補正信号に残留するプッシュプル信号の振幅または位相を変更するために、受光部４の受光領域４ｃ，４ｄ，４ｅ，４ｆから出力される信号出力Ｓｃ，Ｓｄ，Ｓｅ，Ｓｆと係数γとを用いて（γ（Ｓｃ＋Ｓｅ）＋（Ｓｄ＋Ｓｆ））を算出する。オフセット補正信号算出部１０４は、算出された（γ（Ｓｃ＋Ｓｅ）＋（Ｓｄ＋Ｓｆ））と、出力信号Ｓａ，Ｓｂと、係数βとを用いてオフセット補正信号（（Ｓａ＋Ｓｂ）−β＊（γ（Ｓｃ＋Ｓｅ）＋（Ｓｄ＋Ｓｆ）））を算出する。
【００５８】
トラック誤差信号算出部１０５は、メインプッシュプル信号算出部１０２で算出されたメインプッシュプル信号と、オフセット補正信号算出部１０４で算出されたオフセット補正信号と、係数αとを用いて、式（６）に従ってトラッキング誤差信号（ＴＥＳ）を算出して出力する。
【００５９】
受光部４の各受光領域の受光感度の違い、各受光領域からの受光量に応じた信号を増幅する際に用いられる回路ゲインの違い、２分割された回折格子の相対的な位置ずれ等を考慮して、回折格子８−２のデューティ比を８−１のデューティ比に対し、予め透過率が大きくなるようにしておくことで、メインＰＰ信号（ＳＤ−ＳＣ）に含まれるＰＰ信号の振幅に対し、必ずＴＥＳに含まれるＰＰ信号の振幅を増加させることができる。これにより、ＴＥＳ信号のＳ／Ｎ比が低下してしまうのを防ぐことができる。この場合、図１０に示した振幅または位相変更部１０４ａは不要である。
【００６０】
図１１は、ＤＶＤ−Ｒ・ＲＷディスクに最適設計された回折格子を用いて、両受光領域からの出力信号（Ｓｃ＋Ｓｅ），（Ｓｄ＋Ｓｆ）のゲインを同一とした状態でＴＥＳを測定した結果を示す図である。ここではＴＥＳ信号は、ほぼＤＣ成分のみとなり、適切な信号が得られている。しかし、回折格子の透過率差、各受光領域の感度差、回路ゲインの差により、オフセット補正信号（（Ｓａ＋Ｓｂ）−β＊（Ｓｃ＋Ｓｄ＋Ｓｅ＋Ｓｆ））に（ＳＤ−ＳＣ）と同相のプッシュプル信号が残留する。そのため、メインＰＰ信号（ＳＤ−ＳＣ）に含まれるＰＰ信号の振幅に対し、ＴＥＳ信号に含まれるＰＰ信号の振幅は約６６．７％となっている。
【００６１】
図１２は、図１１におけるメインＰＰ信号に含まれるＰＰ信号とオフセット補正信号に含まれる残留ＰＰ信号の位相関係を示す図である。図１２を参照して、メインＰＰ信号（ＳＤ−ＳＣ）に含まれるＰＰ信号の位相に対し、上記式（４）の（（Ｓａ＋Ｓｂ）−β＊（Ｓｃ＋Ｓｄ＋Ｓｅ＋Ｓｆ））における残留ＰＰ信号の位相は同位相となっている。従って最終的な演算結果であるＴＥＳ信号におけるＰＰ信号の振幅はメインＰＰ信号の振幅に対し減少していることがわかる。
【００６２】
図１３は、ＤＶＤ−Ｒ・ＲＷディスクに最適設計された回折格子を用いて、両受光領域からの出力信号（Ｓｃ＋Ｓｅ），（Ｓｄ＋Ｓｆ）のゲイン比を１：１．１４とした状態でＴＥＳを測定した結果を示す図である。両受光領域からの出力信号（Ｓｃ＋Ｓｅ）、（Ｓｄ＋Ｓｆ）のゲイン比が１：１．１４となるようにした場合は、メインＰＰ信号（ＳＤ−ＳＣ）のＰＰ信号の振幅に対し、ＴＥＳ信号のＰＰ信号の振幅は約１０４．３％となっており、最終的な演算結果であるＴＥＳ信号におけるＰＰ信号の振幅はメインＰＰ信号のＰＰ信号の振幅に対し、ほぼ同じものとなっている。
【００６３】
図１４は、図１３におけるメインＰＰ信号に含まれるＰＰ信号とオフセット補正信号に含まれる残留ＰＰ信号の位相関係を示す図である。図１４を参照して、メインＰＰ信号（ＳＤ−ＳＣ）に含まれるＰＰ信号に対し、上記式（６）のオフセット補正信号（（Ｓａ＋Ｓｂ）−β＊（γ（Ｓｃ＋Ｓｅ）＋（Ｓｄ＋Ｓｆ）））に残留するＰＰ信号の振幅がないことがわかる。そのため、ＴＥＳ信号におけるＰＰ信号の振幅はメインＰＰ信号のＰＰ信号の振幅に対し、ほぼ同じになっている。
【００６４】
図１５は、ＤＶＤ−Ｒ・ＲＷディスクに最適設計された回折格子を用いて、両受光領域からの出力信号（Ｓｃ＋Ｓｅ），（Ｓｄ＋Ｓｆ）のゲイン比を１：１．２５とした状態でＴＥＳを測定した結果を示す図である。この場合は、上記式（６）オフセット補正信号（（Ｓａ＋Ｓｂ）−β＊（γ（Ｓｃ＋Ｓｅ）＋（Ｓｄ＋Ｓｆ）））において残留するＰＰ信号の位相がメインＰＰ信号（ＳＤ−ＳＣ）に含まれるＰＰ信号の位相に対し１８０度ずれている。このため、ＴＥＳ信号に含まれるＰＰ信号の振幅はメインＰＰ信号に含まれるＰＰ信号の振幅に対して増加し、約１８０．４％となっている。図１６は、図１５におけるメインＰＰ信号に含まれるＰＰ信号とオフセット補正信号に含まれる残留ＰＰ信号の位相関係を示す図である。図１６を参照して、明らかに、上記式（６）オフセット補正信号（（Ｓａ＋Ｓｂ）−β＊（γ（Ｓｃ＋Ｓｅ）＋（Ｓｄ＋Ｓｆ）））において残留するＰＰ信号の位相がメインＰＰ信号（ＳＤ−ＳＣ）に含まれるＰＰ信号の位相に対し、１８０度ずれた状態となっている。このため、ＴＥＳ信号に含まれるＰＰ信号の振幅はメインＰＰ信号のＰＰ信号の振幅に対して増加していることがわかる。
【００６５】
以上説明したように、本実施の形態における光集積装置１においては、オフセット補正信号に含まれる残留プッシュプル信号の振幅または位相が変更されるので、受光領域の受光感度の違い、回路ゲインの違い、回折格子の相対的な位置ずれ等が生じたとしても、ＴＥＳ信号において十分なＰＰ信号の振幅を得ることができる。その結果、安定したトラッキングサーボ性能を得ることができる。
【００６６】
また、残留プッシュプル信号の位相をメインプッシュプル信号に含まれるプッシュプル信号の位相に対して概ね１８０度異ならせるために、複数の受光領域からの検出信号のゲイン比を変更する。このため、メインＰＰ信号のＰＰ信号の振幅に対し、ＴＥＳ信号のＰＰ信号の振幅を増加させることができる。
【００６７】
さらに、残留プッシュプル信号の振幅を減少させるために、複数の受光領域からの検出信号のゲイン比を変更する。このため、オフセット補正時にメインＰＰ信号のＰＰ信号の振幅に対し、ＴＥＳ信号のＰＰ信号の振幅が変化しない。その結果、光集積化ユニット毎または光ピックアップ装置毎にラジアルサーボのゲインを変える必要がない。
【００６８】
さらに、回折格子８は、受光領域４ｃ，４ｅに光を導く第１回折格子８−１と、受光領域４ｄ，４ｆに光を導く第２回折格子８−２とを含み、残留プッシュプル信号の位相をメインプッシュプル信号に含まれるプッシュプル信号の位相に対して概ね１８０度異ならせるために、第１回折格子８−１と第２回折格子８−２とで透過率を異ならせる（図９参照）。このため、受光部４の受光感度の違い、回路ゲインの違い、回折格子８の相対的な位置ずれによるＴＥＳ信号に含まれるプッシュプル信号の振幅減少が生じにくい光集積化ユニット１及び光ピックアップ装置を構成できる。ひいては、ＴＥＳ信号において十分なＰＰ信号の振幅が得られるので、安定したトラッキングサーボ性能を得ることができる。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の実施の一形態である光ピックアップ装置の概略的構成を示す断面図である。
【図２】光集積化ユニットのホログラムの形状およびホログラム素子と受光部との関係を示す図である。
【図３】本実施の形態における光集積化ユニットの回折格子の正面図である。
【図４】回折格子上におけるディスク反射光の対物レンズの変位やディスクチルトによる動きを示す図である。
【図５】回折格子の回折効率とデューティとの関係を示す図である。
【図６】ビームに対応して分割された回折格子と回折格子上に入射するビーム形状との関係を示す図である。
【図７】ディスクのスポットがディスクのラジアル方向へ移動した場合のトラッククロス信号ＳＣ、ＳＤ、（Ｓｃ＋Ｓｅ）、（Ｓｄ＋Ｓｆ）と、メインＰＰ信号ＳＣ―ＳＤ、オフセット補正信号Ｓｃ＋Ｓｅ＋Ｓｄ＋Ｓｆを示した図である。
【図８】対物レンズシフト時のメインＰＰ信号とメインＰＰ信号のオフセットの関係を示す図である。
【図９】ビームに対応して分割され、デューティ比が異なる回折格子を示す図である。
【図１０】本実施の形態における光集積化ユニット１の回路の概略を示すブロック図である。
【図１１】ＤＶＤ−Ｒ・ＲＷディスクに最適設計された回折格子を用いて、両受光領域からの出力信号（Ｓｃ＋Ｓｅ），（Ｓｄ＋Ｓｆ）のゲインを同一とした状態でＴＥＳを測定した結果を示す図である。
【図１２】図１１におけるメインＰＰ信号に含まれるＰＰ信号とオフセット補正信号に含まれる残留ＰＰ信号の位相関係を示す図である。
【図１３】ＤＶＤ−Ｒ・ＲＷディスクに最適設計された回折格子を用いて、両受光領域からの出力信号（Ｓｃ＋Ｓｅ），（Ｓｄ＋Ｓｆ）のゲイン比を１：１．１４とした状態でＴＥＳを測定した結果を示す図である。
【図１４】図１３におけるメインＰＰ信号に含まれるＰＰ信号とオフセット補正信号に含まれる残留ＰＰ信号の位相関係を示す図である。
【図１５】ＤＶＤ−Ｒ・ＲＷディスクに最適設計された回折格子を用いて、両受光領域からの出力信号（Ｓｃ＋Ｓｅ），（Ｓｄ＋Ｓｆ）のゲイン比を１：１．２５とした状態でＴＥＳを測定した結果を示す図である。
【図１６】図１５におけるメインＰＰ信号に含まれるＰＰ信号とオフセット補正信号に含まれる残留ＰＰ信号の位相関係を示す図である。
【符号の説明】
１　光集積化ユニット、２　ステム、３　ＬＤチップ、４　受光部、４ａ，４ｂ，４ｃ，４ｄ，４ｅ，４ｆ，４Ａ，４Ｃ，４Ｄ　受光領域、５　光分岐素子、６　ホログラム素子、７　ホログラム、７ａ，７ｂ，７ｃ　分割領域、８　回折格子、１０　対物レンズ、１１　ディスク。
【図１】
2004071126.tif 000003
【図２】
2004071126.tif 000004
【図３】
2004071126.tif 000005
【図４】
2004071126.tif 000006
【図５】
2004071126.tif 000007
【図６】
2004071126.tif 000008
【図７】
2004071126.tif 000009
【図８】
2004071126.tif 000010
【図９】
2004071126.tif 000011
【図１０】
2004071126.tif 000012
【図１１】
2004071126.tif 000013
【図１２】
2004071126.tif 000014
【図１３】
2004071126.tif 000015
【図１４】
2004071126.tif 000016
【図１５】
2004071126.tif 000017
【図１６】
2004071126.tif 000018